(57)【要約】【課題】所望の収納対象物の振動に対する誤検出を防止する遊技機用台間機の収納装置を提供する。【解決手段】遊技機と遊技機との間に配置される遊技機用台間機１の内部に設けられた本体部１ａと、携帯機器６０を収納するための本体部１ａに取り付けられたポケット部３３と、本体部１ａに対するポケット部３３の質量を調整するため当該ポケット部３３に対して取り付けられた圧縮バネ４０、４１と、ポケット部３３に設けられ携帯機器６０が発する振動を検出する振動検出センサ８０とを備えるようにする。【選択図】図３
2015173900.tif 000002
【特許請求の範囲】
【請求項１】
遊技機と遊技機との間に配置される遊技機用台間機の内部に設けられた本体部と、
所定の収納対象物を収納するための前記本体部に取り付けられた収納部と、
前記本体部に対する前記収納部の質量を調整するため当該収納部に対して取り付けられた質量調整部材と
前記収納部に設けられ前記収納対象物が発する振動を検出する振動検出部と
を備えることを特徴とする遊技機用台間機の収納装置。
【請求項２】
前記本体部に前記収納部が取り付けられる際に介在され、前記本体部を介して外部振動が前記収納部に伝達されることを防止する防振部材を
さらに備えることを特徴とする請求項１に記載の遊技機用台間機の収納装置。
【請求項３】
前記防振部材は、前記収納部の上方および下方に対応する前記本体部に固定されるとともにその外周面に係合溝が形成され、
前記収納部は、当該収納部の上端部および下端部に前記防振部材の前記係合溝と係合するための係合片が設けられ、
前記本体部に固定された前記防振部材の前記係合溝に対して前記係合片が係合された結果、前記本体部に前記防振部材を介して前記収納部が取り付けられる
ことを特徴とする請求項２に記載の遊技機用台間機の収納装置。
【発明の詳細な説明】
【技術分野】
【０００１】
本発明は、遊技機用台間機の収納装置に関し、特に遊技機用台間機の前面に設けられ、携帯電話やスマートフォン等の携帯機器を収納する収納装置に関するものである。
【背景技術】
【０００２】
従来、遊技機の前面板に携帯電話機を挿入して載置する携帯電話ポケットが設けられ、その携帯電話ポケットに収納された携帯電話機に着信があった場合、携帯電話機のバイブレータによる振動（以下、これをバイブレータ振動と呼ぶ。）を振動センサにより検出し、アクチュエータを介して遊技機の発射ハンドルを振動させることにより、携帯電話機に対する着信をユーザに通知するものがある（例えば、特許文献１参照）。
【先行技術文献】
【特許文献】
【０００３】
【特許文献１】特開２００１−３０００２４号公報
【発明の概要】
【発明が解決しようとする課題】
【０００４】
ところで上述した特許文献１の遊技機においては、携帯電話のバイブレータ以外の遊技機内のモータが発する振動の影響を受けて携帯電話ポケットが共振してしまうと、それが携帯機器のバイブレータ振動であると誤検出してしまうという問題があった。
【０００５】
本発明は上記した従来の問題に鑑みなされたものであり、その目的は、所望の収納対象物の振動に対する誤検出を防止する遊技機用台間機の収納装置を提供することにある。
【課題を解決するための手段】
【０００６】
この目的を達成するために、本発明においては、遊技機と遊技機との間に配置される遊技機用台間機の内部に設けられた本体部と、所定の収納対象物を収納するための前記本体部に取り付けられた収納部と、前記本体部に対する前記収納部の質量を調整するため当該収納部に対して取り付けられた質量調整部材と、前記収納部に設けられ前記収納対象物が発する振動を検出する振動検出部とを備えるようにする。
【０００７】
本発明においては、前記本体部に前記収納部が取り付けられる際に介在され、前記本体部を介して外部振動が前記収納部に伝達されることを防止する防振部材をさらに備えるようにする。
【０００８】
本発明において、前記防振部材は、前記収納部の上方および下方に対応する前記本体部に固定されるとともにその外周面に係合溝が形成され、前記収納部は、当該収納部の上端部および下端部に前記防振部材の前記係合溝と係合するための係合片が設けられ、前記本体部に固定された前記防振部材の前記係合溝に対して前記係合片が係合された結果、前記本体部に前記防振部材を介して前記収納部が取り付けられるようにする。
【発明の効果】
【０００９】
本発明によれば、収納部に対して取り付けられる質量調整部材により、本体部を介して収納部に与えられる外部振動の振動数と、当該収納部の固有振動数とが一致することのないように設定することができるので、収納部が外部振動の影響を受けて共振することがなく、振動検出部により所望の収納対象物の振動に対する誤検出を予め防止することができる。
【００１０】
本発明によれば、外部振動の振動数と、防振部材を含んだ収納部の固有振動数とが一致することのないように設定することができるので、防振部材を含んだ収納部が外部振動の影響を受けて共振することがなく、所望の収納対象物の振動に対する誤検出を予め防止することができる。
【００１１】
本発明によれば、防振部材は、収納部の上方および下方に対応する本体部に固定されるとともにその外周面に係合溝が形成され、収納部は、当該収納部の上端部および下端部に防振部材の係合溝と係合するための係合片が設けられ、本体部に固定された防振部材の係合溝に対して係合片が係合されることにより、本体部に防振部材を介して収納部が間接的に取り付けられることができる。
【図面の簡単な説明】
【００１２】
【図１】本実施の形態に係る遊技機用台間機の前面構成を示す正面図である。
【図２】遊技機用台間機における収納装置の挿入口近傍の拡大図である。
【図３】遊技機用台間機の本体部に取り付けられた状態の収納装置の構成を示す図２のＡ−Ａ断面図である。
【図４】フック部と防振ゴムとの係合状態を示す図３のＢ−Ｂ断面図である。
【図５】係合片と防振ゴムとの係合状態を示す図３のＣ−Ｃ断面図である。
【図６】圧縮バネの装着状態を示す図３のＤ−Ｄ断面図である。
【図７】圧縮バネの装着状態を示す図３および図６のＥ−Ｅ断面図である。
【発明を実施するための形態】
【００１３】
以下、本発明の実施の形態について説明する。
【００１４】
＜携帯機器収納装置の構成＞
図１乃至図７に示すように、図示しない遊技機と遊技機との間に配置される遊技機用台間機１の前面には、エアーカーテンを生成するため当該台間機１に内蔵された空気清浄器（図示せず）のファンからエアーの吹き出しを行う吹出口２、携帯電話機やスマートフォン等の携帯機器を収納する挿入口３１が前面に露出された収納装置としての収納装置３、当該収納装置３に収納された携帯機器６０に対する充電を行うためのＵＳＢ給電口４、および収納装置３に収納された携帯機器６０に対してＵＳＢ給電口４により充電中である旨を視覚的に表示したり、当該携帯機器６０に対して着信等があったことを視覚的に表示する表示部５が設けられている。
【００１５】
収納装置３（図３）は、携帯機器６０を収納するための開口された直方体形状でなる収納部としてのポケット部３３を有している。このポケット部３３は、その開口部が携帯機器６０を収納する際の挿入口３１として用いられる。
【００１６】
このポケット部３３（図３）には、蓋部３３ｈ（図４、図５）がその上から取り付けられる際に用いられる雌ネジ孔５１ａ、５２ａおよび５３ａを有する取付片５１、５２および５３が形成されている。この取付片５１、５２および５３と対向する蓋部３３ｈの位置には同様の雌ネジ孔を有する取付片が形成されている。したがって、ポケット部３３の取付片５１、５２に蓋部３３ｈの取付片が重ね合された状態でネジ（図示せず）により取り付けられることによって、携帯機器６０を収納するための携帯機器収納空間３３ｓが形成される。
【００１７】
またポケット部３３（図３）は、奥行き方向に向かって所定の角度だけ下方に傾斜されている。これにより、携帯機器収納空間３３ｓに携帯機器６０が収納される際、最も奥側まで容易に押し込まれる。ポケット部３３の携帯機器６０を受け止める底面には、その一部に貫通孔３３ｋが形成されており、その貫通孔３３ｋから携帯機器検出センサ７１の検出部７１ａがポケット部３３の携帯機器収納空間３３ａに一部突出した状態で取り付けられている。
【００１８】
またポケット部３３の携帯機器６０を受け止める底面には、貫通孔３３ｋの近傍奥行き側に圧電素子等でなる振動検出部としての振動センサ８０が取り付けられている。したがって、携帯機器６０のバイブレータ振動が発生したとき、そのバイブレータ振動がポケット部３３全体に伝達し、当該ポケット部３３の振動を携帯機器６０のバイブレータ振動として振動センサ８０により検出する。
【００１９】
ポケット部３３における上端部の間口側および奥行側には、薄板状のフック３４（図３、図４）、フック３５（図３）が当該ポケット部３３と一体に形成されている。フック３４は、後術する防振ゴム４０、４１と係合するため、ポケット部３３の間口側が開口された略半円形状の切欠部が形成されている。またフック３５は、後術する防振ゴム４０、４１と係合するため、ポケット部３３の奥行側が開口された略半円形状の切欠部が形成されている。
【００２０】
ポケット部３３における下端部の間口側および奥行側には、薄板状の係合片３６（図３、図５）、係合片３７（図３）が当該下端部から下方へ突出された状態で当該ポケット部３３と一体に形成されている。係合片３６、３７には、後術する防振ゴム４０、４１と係合するための略半円形状の切欠部が形成されている。
【００２１】
遊技機用台間機１の内部に設けられた薄板プレート状でなる本体部１ａの側面１ｍにおいて、ポケット部３３のフック３４、３５間および係合片３６、３７間と同じ距離だけ互いに離間され、かつ当該フック３４、３５および当該係合片３６、３７と対向した位置には、防振ゴム３８、３９および防振ゴム４０、４１が固定されている。
【００２２】
ポケット部３３の上方に固定された防振部材としての防振ゴム３８（図４）は、貫通孔３８ｈを有するドーナッツ形状に形成されている。この防振ゴム３８は、本体部１ａの側面１ｍに対してかしめにより固定されたボス４５に当該防振ゴム３８の貫通孔３８ｈを介して嵌め込まれる。その状態で、ボス４５の内周面に形成された雌ネジ部に対して雄ネジ部を有するボルト４２が螺合される。これにより、防振ゴム３８の側面がボルト４２の頭部により押さえ付けられるため、当該防振ゴム３８がボス４５から抜け落ちることなく本体部１ａの側面１ｍに固定されるのである。なお防振ゴム３９についても、防振ゴム３８と同様の構成であり、かつボルト４２により本体部１ａの側面１ｍに固定される。
【００２３】
防振ゴム３８の周面中央には、収納装置３のポケット部３３のフック３４が係合されるべき一定の深さの係合溝３８ａが形成されている。なお、図示しないが防振ゴム３９についても防振ゴム３８と同様に本体部１ａの側面１ｍに固定されており、当該防振ゴム３８と同様にポケット部３３のフック３５が係合されるべき一定の深さの係合溝３９ａ（図示せず）が当該防振ゴム３９の周面中央に形成されている。
【００２４】
ポケット部３３の下方に固定された防振ゴム４０（図５）は、貫通孔４０ｈを有するドーナッツ形状に形成されている。この防振ゴム４０は、本体部１ａの側面１ｍに対してかしめにより固定されたボス４６に貫通孔４０ｈを介して嵌め込まれる。その状態で、ボス４６の内周面に形成された雌ネジ部に対して雄ネジ部を有するボルト４２が螺合される。これにより、防振ゴム４０の側面がボルト４２の頭部により押さえ付けられるため、当該防振ゴム４０がボス４６から抜け落ちることなく本体部１ａの側面１ｍに固定されるのである。なお防振ゴム４１についても、防振ゴム４０と同様の構成であり、かつボルト４２により本体部１ａの側面１ｍに固定される。
【００２５】
防振ゴム４０の周面中央には、収納装置３のポケット部３３の係合片３６が係合されるべき一定の深さの係合溝４０ａが形成されている。なお、図示しないが防振ゴム４１についても防振ゴム４０と同様に本体部１ａの側面１ｍに固定されており、当該防振ゴム４０と同様にポケット部３３の係合片３７が係合されるべき一定の深さの係合溝４１ａ（図示せず）が当該防振ゴム４１の周面中央に形成されている。
【００２６】
したがって、収納装置３のポケット部３３は、防振ゴム３８〜４１に対してフック３４、３５および係合片３６、３７が係合されることにより、当該防振ゴム３８〜４１を介して本体部１ａの側面１ｍに対し間接的に取り付けられることになる。これによりポケット部３３は、当該本体部１ａを介して伝達される外部振動が防振ゴム３８〜４１を介して低減された状態で伝達される。
【００２７】
なおポケット部３３は、フック３４、３５および係合片３６、３７が防振ゴム３８〜４１の係合溝３８ａ〜４１ａに係合されているため、当該ポケット部３３の自重によりその係合状態が維持されている。
【００２８】
かかる構成に加えて、ポケット部３３における上端部のフック３４、３５間には、当該フック３４と隣接した位置に円形状のバネ設置段部３３ｄ１が形成されているとともに、当該フック３５と隣接した位置に円形状のバネ設置段部３３ｄ２が形成されている。
【００２９】
このバネ設置段部３３ｄ１および３３ｄ２には、略半円筒状のバネ取付部３３ｐ１、３３ｐ２が上方に突出した状態で形成されており、当該バネ取付部３３ｐ１および３３ｐ２に対して圧縮バネ４０および４１が巻き付けられた状態で取り付けられている。
【００３０】
このバネ設置段部３３ｄ１および３３ｄ２と対向する本体部１ａの側面１ｍには、バネ設置突出片３３ａ（図３、図６）およびバネ設置突出片３３ｂ（図３）が当該本体部１ａの側面１ｍから突出した状態で一体に固定されている。
【００３１】
したがって、防振ゴム３８〜４１に対してフック３４、３５および係合片３６、３７を介してポケット部３３が取り付けられる際、バネ取付部３３ｐ１およびバネ取付部３３ｐ２に取り付けられた圧縮バネ４０および４１が、バネ設置段部３３ｄ１および３３ｄ２とバネ設置突出片３３ａおよび３３ｂとの間に装着されることになる。
【００３２】
このときバネ設置突出片３３ａおよび３３ｂは本体部１ａの側面１ｍに固定されているため、圧縮バネ４０および４１の圧縮力によりポケット部３３が太矢印に示すように下方へ押下される。すなわち収納装置３では、圧縮バネ４０および４１の自重およびその圧縮力により本体部１ａに対するポケット部３３の質量を増大させることになる。
【００３３】
ここで圧縮バネ４０および４１の圧縮力を利用して本体部１ａに対する収納装置３のポケット部３３の質量を増大させる理由について以下説明する。収納装置３のポケット部３３は、本体部１ａの側面１ｍに対して防振ゴム３８〜４１を介して間接的に取り付けられているが、本体部１ａにはエアーカーテンを生成するための空気清浄器（図示せず）のファンを回転させるモータが取り付けられているため、そのモータの振動が本体部１ａを介して携帯機器６０の収納されたポケット部３３に対して外部振動として伝達され、当該ポケット部３３が外部振動の影響を受けて振動する。
【００３４】
このとき外部振動の振動数がポケット部３３の固有振動数と一致すると当該ポケット部３３が共振し、振動の振幅が非常に大きくなるため、あたかもポケット部３３に収納されている携帯機器６０のバイブレータ振動が発生したかのようになり、振動センサ８０がバイブレータ振動であると誤検出してしまう。
【００３５】
このときポケット部３３の固有振動数ωは、次の式（１）で表される。ここで「ｋ」は圧縮バネ４０、４１のバネ定数でありその値は固定である。また「ｍ」はポケット部３３の質量である。したがって、本体部１ａのモータの外部振動の振動数が携帯機器６０の収納されたポケット部３３の固有振動数と一致しないようにするためには、当該ポケット部３３の質量ｍを変化させればよい。
【００３６】
ω＝√(ｋ／ｍ)…………………………………………………………………………（式１）
【００３７】
そのためポケット部３３には、圧縮バネ４０、４１の圧縮力を利用して本体部１ａに対するポケット部３３の質量ｍを増大させることにより、当該圧縮バネ４０、４１が装着されたポケット部３３の固有振動数ω´が圧縮バネ４０、４１が装着されていないポケット部３３の固有振動数ωよりも低下される。これにより、外部振動の振動数と当該圧縮バネ４０、４１が装着された状態のポケット部３３の固有振動数ω´とが一致することを回避することができるのである。
【００３８】
この場合、携帯機器６０の種類に応じた重量の範囲（例えば１００ｇ〜２００ｇ）や、挿入口３１から携帯機器６０の一部が飛び出したような中途半端な状態でポケット部３３に収納された場合の携帯機器６０の重量の範囲を考慮し、圧縮バネ４０の圧縮率を選択する。
【００３９】
＜収納装置のバイブレータ振動検出動作＞
このような構成の収納装置３のポケット部３３に携帯機器６０が収納されたときのバイブレータ振動検出動作について、圧縮バネ４０、４１が装着された場合と装着されていない場合について説明する。
【００４０】
＜圧縮バネが装着されていない場合のバイブレータ振動検出動作＞
収納装置３は、防振ゴム３８〜４１を介して本体部１ａの側面１ｍに対して間接的に取り付けられたポケット部３３に圧縮バネ４０、４１が装着されていない場合、本体部１ａに対する当該ポケット部３３の質量ｍに対する調整が何ら行われていない状態にある。
【００４１】
このような収納装置３のポケット部３３に携帯機器６０が収納された状態で、遊技機用台間機１に内蔵された空気清浄器のファンが作動されると、当該ファンのモータの振動が外部振動として、本体部１ａおよび防振ゴム３８〜４１を介して携帯機器６０の収納されたポケット部３３に伝達される。
【００４２】
このとき外部振動の振動数と携帯機器６０の収納された状態のポケット部３３の固有振動数ωとが一致してしまうと、当該ポケット部３３が共振し、振動の振幅が非常に大きくなるため、あたかも携帯機器６０のバイブレータ振動が発生したかのように当該ポケット部３３が振動し、振動センサ８０がバイブレータ振動であると誤検出してしまう。
【００４３】
＜圧縮バネが装着されている場合のバイブレータ振動検出動作＞
収納装置３は、防振ゴム３８〜４１を介して本体部１ａの側面１ｍに対して間接的に取り付けられたポケット部３３に圧縮バネ４０、４１が装着されている場合、本体部１ａに対する当該ポケット部３３の質量ｍが予め増大されている状態にある。
【００４４】
このような収納装置３のポケット部３３に携帯機器６０が収納された状態で、遊技機用台間機１に内蔵された空気清浄器のファンが作動されると、当該ファンのモータの振動が外部振動として、本体部１ａおよび防振ゴム３８〜４１を介して携帯機器６０の収納されたポケット部３３に伝達される。
【００４５】
しかしながら、圧縮バネ４０、４１の圧縮力を利用して本体部１ａに対するポケット部３３の質量ｍが予め増大されており、圧縮バネ４０、４１が装着された状態のポケット部３３の固有振動数ω´が圧縮バネ４０、４１の装着されていない状態のポケット部３３の固有振動数ωとは異なっているため、外部振動の振動数と圧縮バネ４０、４１が装着された状態のポケット部３３の固有振動数ω´とが一致することがない。
【００４６】
したがって、携帯機器６０の収納されたポケット部３３が外部振動の影響を受けた場合でも共振することが無いので、携帯機器６０のバイブレータ振動が発生したかのようにポケット部３３が振動することがなく、振動センサ８０がバイブレータ振動であると誤検出してしまうことが未然に防止される。その後、実際に携帯機器６０のバイブレータ振動が発生すると、ポケット部３３の振動センサ８０によりバイブレータ振動が正確に検出される。
【００４７】
＜他の実施の形態＞
なお、上述した実施の形態においては、質量調整部材としての圧縮バネ４０、４１を用いてポケット部３３の質量ｍを増大させるようにした場合について述べた。しかしながら、本発明はこれに限らず、圧縮バネ４０、４１の代わりに質量調整部材としての引張バネ（図示せず）を用いて本体部１ａに対するポケット部３３を引っ張り上げることにより当該ポケット部３３の質量ｍを減少させるようにしても良い。この場合でも、ポケット部３３の質量ｍが減少するため、質量調整部材が装着されていない状態のポケット部３３の固有振動数ωよりも当該ポケット部３３の固有振動数ω´´が上昇し、外部振動の振動数と引張バネが装着されたポケット部３３の固有振動数ω´´とが一致することを回避することができる。
【００４８】
また、上述した実施の形態においては、質量調整部材としての圧縮バネ４０、４１を用いてポケット部３３の質量ｍを増大させるようにした場合について述べた。しかしながら、本発明はこれに限らず、本体部１ａの側面１ｍに対してポケット部３３を下方へ所定の力により押下した状態で、圧縮バネ４０、４１に代えて質量調整部材としての防振ゴムにより当該ポケット部３３をその位置に押し付けながら固定するようにしてもよい。
【００４９】
さらに、上述した実施の形態においては、エアーカーテンを生成するための空気清浄器のファンのモータの外部振動の振動数と携帯機器６０の収納された状態のポケット部３３の固有振動数ωとが一致することのないように当該ポケット部３３の質量ｍを圧縮バネ４０、４１の圧縮力により調整するようにした場合について述べた。しかしながら、本発明はこれに限らず、ユーザが遊技機や遊技機用台間機１を叩くときの外部振動の振動数とポケット部３３の固有振動数ωとが一致することのないように当該ポケット部３３の質量ｍを圧縮バネ４０、４１の圧縮力により調整するようにしてもよい。
【００５０】
さらに、上述した実施の形態においては、エアーカーテンを生成するための空気清浄器のファンのモータの外部振動の振動数と携帯機器６０の収納された状態のポケット部３３の固有振動数ωとが一致することのないように当該ポケット部３３の質量ｍを圧縮バネ４０、４１の圧縮力により調整するようにした場合について述べた。しかしながら、本発明はこれに限らず、エアーカーテンを生成するための空気清浄器のファンのモータの外部振動の影響が小さい場合、携帯機器６０のバイブレータ振動の振動数と、当該携帯機器６０の収納された状態のポケット部３３の固有振動数ωとをあえて一致させるように当該ポケット部３３の質量ｍを圧縮バネ４０、４１の圧縮力または引張バネの引張力により調整するようにしてもよい。この場合、携帯機器６０のバイブレータ振動が発生した場合、携帯機器６０の収納された状態のポケット部３３の振動が共振により一段と大きくなるため、振動センサ８０によりバイブレータ振動を更に正確かつ確実に検出することができる。
【符号の説明】
【００５１】
１…遊技機用台間機、２…吹出口、３…収納装置（収納部）、４…ＵＳＢ給電口、５…表示部、３１…挿入口、３３…ポケット部、３４、３５…フック、３６、３７…係合片、３８〜４１…防振ゴム（防振部材）、４２…ボルト、４０、４１…圧縮バネ、５１〜５３…取付片、６０…携帯機器、７１…携帯機器検出センサ、８０…振動検出センサ（振動検出部）。
【図１】
2015173900.tif 000003
【図２】
2015173900.tif 000004
【図３】
2015173900.tif 000005
【図４】
2015173900.tif 000006
【図５】
2015173900.tif 000007
【図６】
2015173900.tif 000008
【図７】
2015173900.tif 000009